(57)【特許請求の範囲】
【請求項１】
被印刷材料に印刷版をベースとするオフセット式印刷方法により、および同時に印刷版のないインクジェット式印刷方法により印刷を行う方法であって、前記被印刷材料に印刷版をベースとするオフセット式印刷方法で、および当該印刷版をベースとするオフセット式印刷方法に対してインラインで印刷版のない印刷方法によって、特にインクジェット式印刷方法で印刷が行われる方法において、前記印刷版をベースとするオフセット式印刷方法の印刷速度に依存して前記印刷版のない印刷方法の印刷解像度が決定され、
前記印刷版のない印刷方法の前記印刷解像度は、前記被印刷材料の搬送方向において、前記印刷版をベースとする印刷方法の前記印刷速度が、前記印刷版のない印刷方法の最大印刷速度であって、当該最大印刷速度において最大印刷解像度で印刷を行うことができる最大印刷速度よりも大きい場合、前記印刷版のない印刷方法の前記印刷解像度は、前記被印刷材料の搬送方向において、前記印刷版のない印刷方法の前記最大印刷解像度よりも小さいように決定されることを特徴とする方法。
【請求項２】
前記印刷版のない印刷方法の印刷解像度は、前記被印刷材料の搬送方向に対する横断方向において、前記印刷版をベースとする印刷方法の前記印刷速度に依存していないことを特徴とする請求項１に記載の方法。
【請求項３】
前記印刷版のない印刷方法の印刷解像度は、前記被印刷材料の搬送方向において、前記印刷版をベースとする印刷方法の前記印刷速度に依存して決定されることを特徴とする請求項１または２に記載の方法。
【請求項４】
前記印刷版をベースとする印刷方法の前記印刷速度が、前記印刷版のない印刷方法の最大印刷速度であって、当該最大印刷速度において最大印刷解像度で印刷を行うことができる最大印刷速度よりも大きい場合、前記印刷版のない印刷方法の前記印刷解像度は、前記被印刷材料の搬送方向において、以下の数式によって決定され、
【数１】
0005688968.tif 000003
当該数式において、ＤＡｉｎｋｊｅｔは、前記被印刷材料の搬送方向における前記印刷版のない印刷方法の前記印刷解像度であり、ＤＡｍａｘｉｎｋｊｅｔは、前記印刷版のない印刷方法の前記最大印刷解像度であり、ｖｍａｘｉｎｋｊｅｔは、前記印刷版のない印刷方法の前記最大印刷速度であって、当該最大印刷速度において最大印刷解像度ＤＡｍａｘｉｎｋｊｅｔで印刷を行うことができる前記最大印刷速度であり、ｖｏｆｆｓｅｔは、前記印刷版をベースとする印刷方法の前記印刷速度であることを特徴とする請求項１に記載の方法。
【請求項５】
前記印刷版のない印刷方法の前記印刷解像度は、前記印刷版をベースとする印刷方法の最大印刷速度に依存して決定され、それによって前記印刷版のない印刷方法の前記印刷解像度は一定であるとともに前記印刷版をベースとする印刷方法の実際の印刷速度に依存しないことを特徴とする請求項１から４のいずれか一項に記載の方法。
【請求項６】
前記印刷版のない印刷方法の前記印刷解像度は、前記印刷版をベースとする印刷方法の実際の印刷速度に依存して決定され、それによって前記印刷版のない印刷方法の前記印刷解像度は可変であることを特徴とする請求項１から４のいずれか一項に記載の方法。
【発明の詳細な説明】
【技術分野】
【０００１】
本発明は請求項１のおいて書き部に記載の被印刷材料に印刷を行う方法に関する。
【背景技術】
【０００２】
印刷版をベースとする、好適にオフセット印刷方式で作動する印刷機、例えばロール紙輪転印刷機および枚葉紙印刷機において、印刷版のないインクジェット式印刷装置が用いられることが増えている。当該インクジェット式印刷装置は特に、オフセット印刷を介して製造された印刷製品をバーコード、ナンバリング、またはその他の標識によって特徴付けるために用いられる。このようなインクジェット式印刷装置は少なくとも一つのインクジェット用プリントヘッドを有し、当該インクジェット用プリントヘッドはいわゆるコンティニュアス型インクジェット方式、ドロップ・オン・デマンド型インクジェット方式、サーマル・インクジェット方式、バブル・インクジェット方式またはその他のあらゆるインクジェット方式で形成され得る。
【０００３】
インクジェット式印刷装置の最大印刷速度はオフセット式印刷装置の最大印刷速度よりもはるかに小さいので、オフセット式およびインクジェット式で被印刷材料にインラインで印刷を行うことは困難である。
【０００４】
インクジェット式印刷装置の実現可能な最大印刷速度を増大させるために、多数のインクジェット用プリントヘッドを備えるインクジェット式印刷装置を用いることが実践から知られている。すなわち、被印刷材料の搬送方向に対する横断方向もしくは印刷方向に対する横断方向に複数のインクジェット用プリントヘッドを備えるか、被印刷材料の搬送方向もしくは印刷方向に複数のインクジェット用プリントヘッドを備え、当該多数のインクジェット用プリントヘッドはアレー状もしくはマトリックス状に隣接して設けられているインクジェット式印刷装置を用いる。
【発明の概要】
【発明が解決しようとする課題】
【０００５】
このようにしてインクジェット式印刷方法の印刷速度を増大させることができるが、例えば新聞印刷機として形成されたオフセット式ロール紙輪転印刷機であって、印刷版をベースとするオフセット印刷に対して１５ｍ／ｓまでの印刷速度で作動するオフセット式ロール紙輪転印刷機において、被印刷材料にインラインで印刷版のないインクジェット印刷方式による印刷を行うことは従来不可能であった。インクジェット式印刷方法に関しては従来、実現可能な印刷速度が最大で５ｍ／ｓであるからである。これにより、被印刷材料に印刷版をベースとする印刷方法で印刷を行い、それに加えてインラインで印刷版のないインクジェット式印刷方法による印刷を行う必要がある場合、インクジェット式印刷方法によって塗布された印刷画線部には歪みが生じる結果となる。従って被印刷材料に印刷を行う方法であって、当該方法によって被印刷材料に５ｍ／ｓより大きな高い印刷速度においてインラインで、もしくは印刷版をベースとする印刷方法と印刷版のないインクジェット式印刷方法とを同時に用いて印刷を行うことができ、しかも当該インクジェット式印刷方法によって塗布される印刷画線部に歪みが生じる危険がない方法が求められている。印刷版のない印刷方法として例えばレーザー印刷が用いられるときも、同様の問題が生じる。
【課題を解決するための手段】
【０００６】
上記の点に鑑み、本発明は被印刷材料に印刷を行う新規な方法を提供することを課題とする。当該課題は請求項１に記載の方法によって解決される。本発明によれば印刷版をベースとする印刷方法の印刷速度に応じて印刷版のない印刷方法の印刷解像度が決定される。本発明では印刷版のない印刷方法、特にインクジェット式印刷方法の印刷解像度は、印刷版をベースとする印刷方法、特にオフセット式印刷方法の印刷速度によって決定される。印刷版をベースとする印刷方法の印刷速度が、印刷版のない印刷方法の最大印刷速度であって、当該最大印刷速度において最大の印刷解像度で印刷が行われ得る最大印刷速度に対して大きいほど、印刷版のない印刷方法の印刷解像度は小さくなる。
【０００７】
これによって印刷版のない印刷方法によって塗布される印刷画線部が歪むという危険なしに、印刷版のない印刷方法を、当該方法に対して規定されている最大印刷速度よりも高い印刷速度で運転することが可能となる。
【０００８】
好適に、印刷版のない印刷方法の印刷解像度は、被印刷材料の搬送方向に対する横断方向において見た場合、印刷版をベースとする印刷方法の印刷速度に依存していないが、印刷版のない印刷方法の印刷解像度は、被印刷材料の搬送方向において見た場合、印刷版をベースとする印刷方法の印刷速度に応じて決定される。
【０００９】
本発明の好適なさらなる構成は従属請求項および以下の詳細な説明に記載されている。本発明の実施の形態を以下に図面に基づいてより詳細に説明する。図面に示すのは以下の通りである。
【図面の簡単な説明】
【００１０】
【図１】本発明に係る被印刷材料に印刷を行う方法を明らかにするための第一の概略図である。
【図２】本発明に係る被印刷材料に印刷を行う方法を明らかにするための第二の概略図である。
【発明を実施するための形態】
【００１１】
本発明は被印刷材料に印刷を行う方法に関する。当該方法において被印刷材料に、印刷版をベースとする印刷方法により、および、印刷版をベースとする印刷方法に対してインラインで印刷版のないインクジェット式印刷方法により、印刷が行われる。印刷版をベースとする印刷方法は好適にオフセット式印刷方法である。本発明に係る方法は好適に新聞印刷機のようなオフセット式ロール紙輪転印刷機において用いられ、それによってオフセット式ロール紙輪転印刷機内で、インラインでオフセット式印刷に加えてウェブ状の被印刷材料にインクジェット式印刷方法により印刷を行う。
【００１２】
本発明において、被印刷材料に印刷版をベースとする印刷方法により、および同時に印刷版のないインクジェット式印刷方法により、インラインで印刷を行うにあたって、印刷版をベースとする印刷方法、特にオフセット式印刷方法の印刷速度に応じて、インクジェット式印刷方法の印刷解像度が決定されるように印刷が行われる。このとき印刷解像度は好適に、被印刷材料の搬送方向に対する横断方向においては、印刷版をベースとする印刷方法の印刷速度に依存していないが、インクジェット式印刷方法の印刷解像度は、被印刷材料の搬送方向においては、印刷版をベースとする印刷方法の印刷速度に依存しているように決定される。
【００１３】
図１および２を参照しながら前記の点を以下に詳細に説明する。図１は従来のインクジェット式印刷方法によって実現可能な解像度を概略的に示しており、当該解像度は、被印刷材料の搬送方向に対する横断方向（矢印１０）において見た場合も、被印刷材料の搬送方向（矢印１１）において見た場合も同じである。従って被印刷材料の搬送方向に対する横断方向において見た場合、インクジェット式印刷方法によって印刷可能な画素間の距離ｘは、被印刷材料の搬送方向において見た場合の画素間の距離ｙと一致する。
【００１４】
インクジェット式印刷方法の解像度の値は典型的に２４０×２４０ｄｐｉまたは３００×３００ｄｐｉである。このように被印刷材料の搬送方向に対する横断方向において見た場合も、被印刷材料の搬送方向において見た場合も等しい印刷解像度によって、文字Ａは例えば図１に示すような方法で印刷され得る。
【００１５】
印刷版をベースとする印刷方法、特にオフセット式印刷方法の印刷速度が、インクジェット式印刷方法の最大印刷速度であって、当該最大印刷速度においてインクジェット式印刷の最大印刷解像度で印刷を行うことができる最大印刷速度よりも小さいか、あるいはインクジェット式印刷方法の最大印刷速度と同じ大きさである場合、被印刷材料の搬送方向および被印刷材料の搬送方向に対する横断方向におけるインクジェット式印刷方法の印刷解像度は、インクジェット式印刷方法の最大印刷解像度と一致する。
【００１６】
これに対して印刷版をベースとする印刷方法、特にオフセット式印刷方法の印刷速度が、印刷版のないインクジェット式印刷方法の最大印刷速度であって、当該最大印刷速度においてインクジェット式印刷の最大解像度で印刷を行うことができる最大印刷速度よりも大きい場合、インクジェット式印刷方法の印刷解像度は、被印刷材料の搬送方向において見たとき、インクジェット式印刷方法の最大印刷解像度よりも小さいように選択される。
【００１７】
印刷版をベースとする印刷方法の印刷速度が、印刷版のないインクジェット式印刷方法の最大印刷速度よりも大きい場合、被印刷材料の搬送方向におけるインクジェット式印刷方法の印刷解像度は以下の数式によって決定される。
【００１８】
【数１】
0005688968.tif 000002
【００１９】
前記の数式においてＤＡｉｎｋｊｅｔは、被印刷材料の搬送方向におけるインクジェット式印刷方法の印刷解像度であり、ＤＡｍａｘｉｎｋｊｅｔは、インクジェット式印刷方法の最大印刷解像度であり、ｖｍａｘｉｎｋｊｅｔは、インクジェット式印刷方法の最大印刷速度であって、当該当該最大印刷速度において最大印刷解像度ＤＡｍａｘｉｎｋｊｅｔで印刷を行うことができる最大印刷速度であり、ｖｏｆｆｓｅｔは、印刷版をベースとする印刷方法の印刷速度である。
【００２０】
従って前記の数式から、被印刷材料の搬送方向におけるインクジェット式印刷方法の印刷解像度は、印刷版をベースとする印刷方法、特にオフセット式印刷方法の搬送速度に依存しており、当該依存はインクジェット式印刷方法の印刷解像度が、印刷版をベースとする印刷方法の印刷速度に対して逆比例もしくは反比例するように行われる。
【００２１】
具体的な実施の形態において、インクジェット式印刷方法の最大印刷解像度は、インクジェット式印刷方法の最大印刷速度が５ｍ／ｓであるとき、３００×３００ｄｐｉであることを前提としている。このようなインクジェット式印刷方法によって、印刷版をベースとするオフセット式印刷方法であって、１５ｍ／ｓの印刷速度で作動するオフセット式印刷方法に対してインラインで被印刷材料に印刷を行うとすると、インクジェット式印刷方法の印刷解像度の値は、被印刷材料の搬送方向に対する横断方向において３００ｄｐｉであり、被印刷材料の搬送方向において１００ｄｐｉであるので、全体の解像度は３００×１００ｄｐｉとなる。
【００２２】
図２はインクジェット式印刷方法の印刷解像度を減少させたものを示している。本図において被印刷材料の搬送方向に対する横断方向（矢印１０）において見た場合、画素間の距離ｘは変わらないが、被印刷材料の搬送方向（矢印１１）において見た場合の画素間の距離ｙ＊は増大している。従って文字Ａは被印刷材料の搬送方向において見た場合、より少ない画素で印刷される。
【００２３】
本発明の第一の変化形態によれば、インクジェット式印刷方法の印刷解像度は、印刷版をベースとする印刷方法、特にオフセット式印刷方法の最大印刷速度に依存して一度で決定され、それによってインクジェット式印刷方法の印刷解像度は一定であり、従って印刷版をベースとするオフセット式印刷方法の実際の印刷速度に依存しない。
【００２４】
これにより、インクジェット式印刷方法によって印刷すべき印刷画線部は、印刷版をベースとするオフセット式印刷方法の速度領域全体にわたって均一な外観を呈することができる。
【００２５】
インクジェット式印刷方法の印刷品質を最適化するために、インクジェット式印刷方法の印刷解像度は、印刷版をベースとするオフセット式印刷方法の実際の印刷速度に応じて決定されてもよい。それによってインクジェット式印刷方法の印刷解像度は可変となり、すなわち、印刷版をベースとするオフセット式印刷方法の、瞬間ごとに実際該当する印刷速度に依存することになる。
【００２６】
本発明に係る印刷方法によって、インクジェット式印刷方法に対して許容される印刷速度を上回る印刷速度においても、オフセット式印刷とともにインラインでインクジェット式印刷によって、被印刷材料に高い印刷品質を有するように印刷を行うことができる。
【００２７】
本発明は他の印刷版のない印刷方法、例えばレーザー印刷が、印刷版をベースとする印刷方法に対してインラインで用いられる場合にも適用可能である。
【符号の説明】
【００２８】
１０  被印刷材料の搬送方向に対する横断方向を示す矢印
１１  被印刷材料の搬送方向を示す矢印
ｘ    被印刷材料の搬送方向に対する横断方向における画素間の距離
ｙ    被印刷材料の搬送方向における画素間の距離
ｙ＊    被印刷材料の搬送方向における画素間の距離
【図１】
0005688968.tif 000004
【図２】
0005688968.tif 000005